(57)【特許請求の範囲】
【請求項１】
２つの空間を連通する連通口を形成する枠体と、
前記枠体に沿う移動方向に移動して前記連通口を閉止可能に設けられた障子と、
前記障子が閉じた状態にて、外部からの操作により前記障子の移動を規制する戸先錠と、
を有する建具であって、
前記枠体は、前記障子が前記連通口を閉止した状態にて当該障子の戸先框と前記移動方向にて対向する対向面と、
前記対向面から前記障子側に突出し、前記障子が前記連通口を閉止したときに前記戸先框内に進入して、前記戸先框内に設けられ前記障子を見込み方向における所定位置に案内する案内部材と係合する進入片と、
を有する単一の部材であり、
前記戸先錠は、
前記戸先框に設けられた鉤部材と、
前記対向面に設けられ、前記鉤部材と係合して前記障子の前記移動方向における移動を規制する係合部、前記鉤部材の見込み方向において前記２つの空間のうちの一方の空間側への移動を規制する第１規制部、及び、前記進入片に当接して当該進入片に対して位置決めする位置決め部、を備えた鉤受部材と、
を有し、
前記進入片が、前記鉤部材の見込み方向において前記２つの空間のうちの他方の空間側への移動を規制する第２規制部をなしていることを特徴とする建具。
【請求項２】
請求項１に記載の建具であって、
前記鉤受部材は前記対向面に取り付けられることにより、前記進入片とともに開口を形成し、前記鉤部材は前記開口に挿入されるとともに、当該開口を形成する部位に係合されることを特徴とする建具。
【請求項３】
請求項２に記載の建具であって、
前記進入片は、前記移動方向に沿う面を有する部位であり、
前記鉤受部材は、前記対向面に取り付けられて、前記移動方向に沿う面をなす移動方向壁部と、前記移動方向壁部から見込み方向に延出された見込み方向壁部とを有し、
前記見込み方向壁部には、前記移動方向壁部と反対側に開放された切欠部が設けられており、
前記切欠部と、当該切欠部の開放されている側の端部に配置された前記進入片とで、前記開口が形成されていることを特徴とする建具。
【請求項４】
請求項３に記載の建具であって、
前記鉤受部材は、前記進入片に当接し、前記見込み方向壁部の前記障子側への倒れを規制する倒れ規制部を有することを特徴とする建具。
【請求項５】
２つの空間を連通する連通口を形成する枠体と、
前記枠体に沿う移動方向に移動して前記連通口を閉止可能に設けられた障子と、を有する建具に備えられる鉤受部材であって、
前記障子が前記連通口を閉止した状態にて当該障子の戸先框と対向する、前記枠体の対向面に設けられ、
前記戸先框に設けられた鉤部材が係合して前記障子の前記移動方向における移動を規制する係合部と、
前記対向面から前記障子側に突出し、前記障子が前記連通口を閉止したときに前記戸先框内に進入して、前記戸先框内に設けられ前記障子を見込み方向における所定位置に案内する案内部材と係合する進入片とともに、前記鉤部材の見込み方向における移動を規制する規制部と、
を備え、
前記進入片に当接されることにより見込み方向が位置決めされることを特徴とする鉤受部材。
【発明の詳細な説明】
【技術分野】
【０００１】
本発明は、２つの空間を連通する連通口を形成する枠体と、枠体に沿う方向に移動して連通口を閉止可能に設けられた障子を有する建具及びこの建具に用いられる鉤受部材に関する。
【背景技術】
【０００２】
２つの空間を連通する連通口を形成する枠体と、枠体に沿う方向に移動して連通口を閉止可能に設けられた障子を有する建具及びこの建具に用いられる鉤受部材としては、例えば、開口部の縦枠に取り付けられた錠受け(鉤受部材)と、開口部を閉じる扉の縦框が有するハウジングに収容され回動して錠受けに掛止されるフック部が形成されたアームとを備えたロック装置を有する建具が知られている。このような建具の、フック部が掛止される錠受けは、縦枠から扉側に向かって水平に突出する水平板状部と、水平板状部の先端から下方に垂設された鉛直板状部とを有しており、見込み方向に沿って設けられた軸を中心に回動して、下方から上方に移動するアームのフック部が、鉛直板状部に掛止されてロック(施錠)されることが開示されている（例えば、特許文献１参照）。
【先行技術文献】
【特許文献】
【０００３】
【特許文献１】特開平１０−１０２８７３号公報
【発明の概要】
【発明が解決しようとする課題】
【０００４】
上記のような建具及び鉤受部材は、フック部が、水平に突出する水平板状部と水平板状部の先端から下方に垂設された鉛直板状部とを有する錠受けに掛止されて施錠される。このため、フック部が錠受けに掛止された状態であっても、見込み方向においてフック部を規制する部位が設けられていないため、フック部が錠受けから外れ施錠状態が維持できない虞があるという課題がある。
【０００５】
本発明は、かかる課題に鑑みてなされたものであり、その目的とするところは、施錠状態が維持されやすく、施錠の信頼性に優れた建具及び鉤受部材を提供することにある。
【課題を解決するための手段】
【０００６】
かかる目的を達成するために本発明の建具は、２つの空間を連通する連通口を形成する枠体と、前記枠体に沿う移動方向に移動して前記連通口を閉止可能に設けられた障子と、前記障子が閉じた状態にて、外部からの操作により障子の移動を規制する戸先錠と、を有する建具であって、前記枠体は、前記障子が前記連通口を閉止した状態にて当該障子の戸先框と前記移動方向にて対向する対向面と、前記対向面から前記障子側に突出し、前記障子が前記連通口を閉止したときに前記戸先框内に進入して、前記戸先框内に設けられ前記障子を見込み方向における所定位置に案内する案内部材と係合する進入片と、を有する単一の部材であり、前記戸先錠は、前記戸先框に設けられた鉤部材と、前記対向面に設けられ、前記鉤部材と係合して前記障子の前記移動方向における移動を規制する係合部、前記鉤部材の見込み方向において前記２つの空間のうちの一方の空間側への移動を規制する第１規制部、及び、前記進入片に当接して当該進入片に対して位置決めする位置決め部、を備えた鉤受部材と、を有し、前記進入片が、前記鉤部材の見込み方向において前記２つの空間のうちの他方の空間側への移動を規制する第２規制部をなしていることを特徴とする建具である。
【０００７】
このような建具によれば、鉤部材と係合する鉤受部材は、障子の移動方向における移動を規制する係合部及び鉤部材の見込み方向における移動を規制する規制部を備えているので、鉤受部材に係合した鉤部材は、障子の移動方向の移動を規制するばかりでなく、鉤部材の見込み方向の移動も規制する。このため、鉤受部材に係合した鉤部材は鉤受部材から外れ難いので、施錠状態が維持されやすく、施錠の信頼性に優れた建具を提供することが可能である。
【０００８】
また、枠体の対向面に設けられて障子を閉止したときに戸先框内に進入する進入片及び対向面に設けられた鉤受部材が、戸先框に設けられた案内部材と係合して障子を見込み方向における所定位置に案内するので、進入片及び鉤受部材が戸先框と衝突することを防止することが可能であると共に、進入片及び鉤受部材に対して戸先框を適切な位置に配置することが可能である。
また、進入片とともに、鉤部材が挿入される開口を形成する鉤受部材の位置決めをする位置決め部は、進入片に当接して進入片に対する位置決めをするので、進入片と鉤受部材とをより正確に位置決めすることが可能である。このため、鉤受部材の切欠部の開放された部位を端部にて確実に塞ぐことが可能であり、開口の見込み方向の幅をより広く形成することが可能である。
【０００９】
かかる建具であって、前記鉤受部材は前記対向面に取り付けられることにより、前記進入片とともに開口を形成し、前記鉤部材は前記開口に挿入されるとともに、当該開口を形成する部位に係合されることが望ましい。  
このような建具によれば、鉤部材は、対向面に取り付けられた鉤受部材が進入片とともに形成する開口に挿入されて鉤受部材と係合するので、鉤部材は囲まれて、より外れ難くなる。このため、施錠状態が維持されやすく、施錠の信頼性により優れた建具を提供することが可能である。
【００１０】
かかる建具であって、前記進入片は、前記移動方向に沿う面を有する部位であり、前記鉤受部材は、前記対向面に取り付けられて、前記移動方向に沿う面をなす移動方向壁部と、前記移動方向壁部から見込み方向に延出された見込み方向壁部とを有し、前記見込み方向壁部には、前記移動方向壁部と反対側に開放された切欠部が設けられており、前記切欠部と、当該切欠部の開放されている側の端部に配置された前記進入片とで、前記開口が形成されていることが望ましい。  
このような建具によれば、進入片は、鉤受部材に設けられた切欠部の開放されている側の端部に配置されて開口を形成するので、鉤受部材の切欠部の開放された部位を端部にて塞ぐとともに、見込み方向の幅がより広い開口を形成することが可能である。
【００１２】
かかる建具であって、前記鉤受部材は、前記進入片に当接し、前記見込み方向壁部の前記障子側への倒れを規制する倒れ規制部を有することが望ましい。  
このような建具によれば、鉤受部材の倒れ規制部が、進入片に当接して、見込み方向壁部の障子側への倒れを規制する。このため、見込み方向壁部が障子側に倒れ難いので、鉤部材と鉤受部材とが確実に係合した状態が保たれ、施錠の信頼性がより高い建具を提供することが可能である。
【００１５】
また、２つの空間を連通する連通口を形成する枠体と、前記枠体に沿う移動方向に移動して前記連通口を閉止可能に設けられた障子と、を有する建具に備えられる鉤受部材であって、前記障子が前記連通口を閉止した状態にて当該障子の戸先框と対向する、前記枠体の対向面に設けられ、前記戸先框に設けられた鉤部材が係合して前記障子の前記移動方向における移動を規制する係合部と、前記対向面から前記障子側に突出し、前記障子が前記連通口を閉止したときに前記戸先框内に進入して、前記戸先框内に設けられ前記障子を見込み方向における所定位置に案内する案内部材と係合する進入片とともに、前記鉤部材の見込み方向における移動を規制する規制部と、を備え、前記進入片に当接されることにより見込み方向が位置決めされることを特徴とする鉤受部材である。
【００１６】
このような鉤受部材によれば、鉤部材と係合する鉤受部材が、障子の移動方向における移動を規制する係合部及び鉤部材の見込み方向における移動を規制する規制部を備えているので、鉤受部材に鉤部材が係合した際には、障子の移動方向の移動ばかりでなく、鉤部材の見込み方向の移動も規制することが可能である。このため、鉤受部材に係合した鉤部材は鉤受部材から外れ難いので、施錠状態が維持されやすく、施錠の信頼性に優れた鉤受部材を提供することが可能である。
【発明の効果】
【００１７】
本発明によれば、施錠状態が維持されやすく、施錠の信頼性に優れた建具及び鉤受部材を提供することが可能である。
【図面の簡単な説明】
【００１８】
【図１】本実施形態に係る建具を室内側から見た正面図である。
【図２】本実施形態に係る建具に設けられる戸先錠の構成を示す斜視図である。
【図３】外障子に設けられた戸先錠を説明する平面図である。
【図４】戸先錠が設けられていない部位における案内部材の作用を説明する平面図である。
【図５】鉤機構の構成を説明するための斜視図であり、図５（ａ）は、解錠状態、図５（ｂ）は施錠状態を示している。
【図６】縦枠に取り付けられる鉤受部材を示す斜視図である。
【図７】戸先錠が設けられている部位における案内部材の作用を説明する平面図である。
【図８】鉤受部材の第１変形例を示す斜視図である。
【発明を実施するための形態】
【００１９】
以下、本発明の一実施形態に係る建具及び鉤受部材について図面を参照して説明する。
【００２０】
本実施形態の建具１は、２つの空間としての室内空間と室外空間との間に設けられ、躯体または既存のサッシ枠に取り付けられて室内空間と室外空間戸を連通する連通口２を形成する枠体３０と、枠体３０に沿って移動方向となる見付け方向に移動して連通口２を閉止可能に枠体３０に設けられた内障子４と外障子６と、を備えた、図１に示すような引き違いタイプの建具１である。内障子４及び外障子６は、２つの空間の境界に設けられた引き戸であり、枠体３０は、内障子４及び外障子６が連通口２を閉止した状態にて、内障子４及び外障子６の各戸先框５、７と見付け方向(移動方向)にて対向する対向面３１ａ(図２)を備えている。
【００２１】
以下の説明においては、建物等に取り付けられた状態の建具１を室内側から見たときに、枠体３０、内障子４及び外障子６の上下となる方向を上下方向、左右となる方向を左右方向または見付け方向、室内外方向である奥行き方向を見込み方向として示す。また、枠体３０、内障子４及び外障子６を構成する部材は、単体の状態であっても建具１が建物等に取り付けられた状態で上下方向、見付け方向、見込み方向等となる方向にて方向を特定して説明する。
【００２２】
建具１は、内障子４及び外障子６が閉じた状態にて、外部からの操作により内障子４及び外障子６の移動を規制する戸先錠１０が各々設けられている。
【００２３】
内障子４の戸先錠（不図示）と外障子６の戸先錠１０とは、左右の方向が相違するだけなので、ここでは、外障子６の戸先錠１０を例に挙げて説明する。
【００２４】
外障子６を閉じたときに戸先框７と見付け方向に対向する対向面３１ａを有する左の縦枠３１は、図２、図３に示すように、見込み方向に沿う平面を有する縦枠見込部３１ｂと、縦枠見込部３１ｂから枠体３０の内周側に突出され外障子６の戸先框７側と係合する係合片３１ｃと、縦枠見込部３１ｂの最も室外側にて枠体３０の内周側に突出され網戸(不図示)の縦框に挿入される挿入片３１ｄと、左の縦枠３１の見込み方向におけるほぼ中央にて枠体３０の内周側に突出され、左の縦枠３１の室内側の半分の領域を覆うカバー材(不図示)が嵌合される嵌合部３１ｅと、を有している。
【００２５】
外障子６は、閉じた状態で、戸先框７の先端が挿入片３１ｄと嵌合部３１ｅとの間に位置し、見付け方向に沿う面をなす板状の進入片としての係合片３１ｃが戸先框７側に入り込むように形成されている。また、係合片３１ｃは、枠体３０の内周側の縁、すなわち、先端部に室内側に向かって突出する突出片３１ｆが設けられている。
【００２６】
外障子６の戸先錠１０は、外障子６の戸先框７と、戸先框７に設けられ外部からの操作により縦枠３１側に突出する鉤部材１８を有する鉤機構１１と、外障子６の戸先框７と見付け方向に対向する対向面３１ａを有し、室内側から見て左側の縦枠３１と、縦枠３１に取り付けられて鉤部材１８の鉤部１８ｃと係合する鉤受部材２０と、を有している。また、戸先框７内には、縦枠３１に対して外障子６を見込み方向の所定の位置に案内する案内部材２４、２５（図４）が設けられている。案内部材２４、２５は、鉤機構１１が設けられていない部位に用いられるものと、鉤機構１１が設けられている部位に用いられるものとで形状が相違するため２種類使用している。
【００２７】
鉤機構１１が設けられていない部位に用いられる案内部材２５は、図４に示すように、外障子６を閉じた際に、縦枠３１の係合片３１ｃと係合して、戸先框７の先端に設けられたシール材３５が縦枠３１の係合片３１ｃに当接される位置に外障子６を案内するように構成されている。鉤機構１１が設けられている部位に用いられる案内部材２４については後述する。
【００２８】
外障子６の戸先框７は、框本体８と、カバー部材９とを有している。框本体８は、上下方向に長い押出部材であり、上下方向に連通する中空部をなし、水平断面がほぼ矩形状をなす中空本体部８ａと、中空本体部８ａの室外側の縁にて戸先側に延出され、先端部にシール材３５が嵌合される室外戸先片８ｂと、中空本体部８ａの室内側の縁にて戸先側に延出された室内戸先片８ｃと、中空本体部８ａの室外側の縁にて召合せ側に延出された室外召合片８ｄと、室内戸先片８ｃの室内側及び中空本体部８ａの室内側かつ召合せ側の角部にカバー部材９が係止される係止部８ｅとを有している。框本体８の中空本体部８ａと室外戸先片８ｂと室外召合片８ｄとは、室外側の面が繋がった平面をなしている。
【００２９】
カバー部材９は、框本体８の室内戸先片８ｃから室外召合片８ｄまでの範囲の室外側にて、框本体８と間隔を隔てて対向する室内側壁部９ａと、室内側壁部９ａから框本体８側に突出して係止部８ｅに係止される係止片９ｂとを有している。
【００３０】
室内側壁部９ａは、平面をなし、外障子６を見付け方向に移動する際の操作部をなす縦長状の凹部１９ａを有する操作部材１９が設けられている。また、操作部材１９の凹部１９ａ内の上部には、戸先錠１０を外部、すなわち室内側から操作するための把持部１２が上下方向に移動可能に設けられている。把持部１２には、カバー部材９に取り付けられた操作部材１９を貫通し、カバー部材９が取り付けられている框本体８の中空本体部８ａ内に至る、見込み方向に沿うピン１２ａが設けられている。このピン１２ａは、鉤機構１１の、中空本体部８ａ内に設けられた伝達部材１７（図５）と係合している。
【００３１】
中空本体部８ａ内の鉤機構１１は、図５に示すように、把持部１２から繋がったピン１２ａが挿入されて、把持部１２からの操作を鉤部材１８側に伝達する伝達部材１７と、鉤部材１８を回動自在に支持する回動支持部材１６と、回動支持部材１６を戸先框７に固定するフレーム１５と、フレーム１５とともに戸先框７を挟持する挟持部材１４と、フレーム１５と見込み方向に対向して伝達部材１７及び後述する移動部材５２のガイド部１３ａ、１３ｂを備えたガイドプレート１３(図２)とを有している。鉤機構１１は、戸先框７の上下方向におけるほぼ中央にて、室外戸先片８ｂと室内戸先片８ｃとの間に形成された縦長の長方形状をなす開口(不図示)の上下にわたって設けられ中空本体部８ａの外側から覆う挟持部材１４とフレーム１５とにより、戸先框７の挟持された部位にビス５５にて固定されて設けられている。
【００３２】
鉤部材１８は、回動支持部材１６に支持された回動中心Ｃに対して相反する２方向に延びる腕部１８ａ、１８ｂを有し、回動中心Ｃより戸先側に延びる戸先腕部１８ａの先端が戸先腕部１８ａとほぼ直角をなすように形成された鉤部１８ｃを有している。また、回動中心Ｃより召合せ側に延びる召合腕部１８ｂには、下端が把持部１２に設けられたピン１２ａと係合されて上方に延びる伝達部材１７と係合自在にピン結合されている。このため、戸先框７にてフレーム１５を介して回動支持部材１６に回動自在に支持された鉤部材１８は、把持部１２が上方に操作され、回動支持部材１６に設けられたガイド部１６ａとガイドプレート１３に設けられたガイド部１３ａと案内されて上方に移動する伝達部材１７により鉤部材１８の召合腕部１８ｂが上方に移動されることにより反時計方向に回動し、戸先腕部１８ａの鉤部１８ｃが戸先框７の中空本体部８ａ内に収容されるように構成されている。また、把持部１２が下方に操作されて、下方に移動する伝達部材１７により鉤部材１８の召合腕部１８ｂが下方に移動されることにより時計方向に回動し、戸先腕部１８ａ及び鉤部１８ｃが戸先框７の中空本体部８ａ内から挟持部材１４に設けられた鉤開口１４ａを通って突出するとともに、鉤部１８ｃの先端が上方に向くように構成されている。
【００３３】
また、戸先錠１０は、内障子４及び外障子６が開いた状態での施錠操作を規制する空かけ防止機構５０を有している。内障子４の空かけ防止機構（不図示）と外障子６の空かけ防止機構５０とは、左右の方向が相違するだけなので、ここでは、外障子６の空かけ防止機構５０を例に挙げて説明する。
【００３４】
空かけ防止機構５０は、図５に示すように、挟持部材１４において、鉤部材１８の戸先腕部１８ａ及び鉤部１８ｃが突出する部位より下方に設けられている。空かけ防止機構５０は、挟持部材１４に設けられた下開口１４ｂに案内されて見付け方向に移動し、挟持部材１４に対して出没可能に設けられた移動部材５２が、回動支持部材１６の、挟持部材１４と対面する部位との間にコイルばね５３を介して設けられている。また、移動部材５２の召合せ側の端部には、見込み方向に突出する凸部５２ａを有しており、移動部材５２が最も突出した際に、戸先側に抜けることを防止している。この凸部５２ａは、見込み方向において室内側と室外側とにそれぞれ突出させて設けられている。そして、室内側の凸部５２ａは、ガイドプレート１３のガイド部１３ｂにて見付け方向に案内され、室外側の凸部５２ａは、伝達部材１７に設けられ、上方が狭く下方が戸先方向に広がった切欠部１７ａと係合している。
【００３５】
把持部１２が上側に位置するとき、すなわち、移動部材５２が突出しているときには、室外側の凸部５２ａが切欠部１７ａの下側に位置して、移動部材５２が中空本体部８ａ側に収容されているときには室外側の凸部５２ａが切欠部１７ａの上側に位置している。このため、移動部材５２が突出しているときには、把持部１２を下げようとしても室外側の凸部５２ａが切欠部１７ａと係合して伝達部材１７および把持部１２の下方への移動、すなわち施錠操作を規制し、移動部材５２が中空本体部８ａ側に収容されているときには、把持部１２を下げようとすると、室外側の凸部５２ａは切欠部１７ａと係合しないので伝達部材１７および把持部１２の下方への移動、すなわち施錠操作が許容される。この移動部材５２は、外障子６を閉じたときに縦枠３１に押圧されて、中空本体部８ａ側に収容されるように構成されている。
【００３６】
鉤受部材２０は、図６に示すように、縦枠３１の対向面３１ａに固定される固定板部２１と、対向面３１ａに固定された状態にて固定板部２１の室外側の縁から枠体３０の内周側に向かって延出された延出板部２２と、延出板部２２の先端から室外側に向かって延出された見込み方向延出部２３とを有している。そして、固定板部２１と延出板部２２、及び、延出板部２２と見込み方向延出部２３は、いずれもほぼ直角をなすように形成されている。このため、見込み方向延出部２３は、対向面３１ａとほぼ平行をなすように形成されている。ここで、延出板部２２が見付け方向すなわち移動方向に沿う面をなす移動方向壁部であり、見込み方向延出部２３が移動方向壁部の先端から見込み方向に延出された見込み方向壁部である。
【００３７】
延出板部２２は、固定板部２１の上下の端部２１ａを残して、その間に位置する部位を曲げ起こして形成されており、固定板部２１の上下の端部２１ａは、延出板部２２より室外側に突出している。
【００３８】
また、見込み方向延出部２３には、延出板部２２から繋がった上端側の上板部２３ａと下端側の下板部２３ｂとの間に、延出板部２２と反対方向に開放された切欠部２３ｃが設けられている。
【００３９】
鉤受部材２０は、固定板部２１の上下の端部２１ａの先端を縦枠３１の係合片３１ｃに室内側から当接させて、対向面３１ａに設けられた係合片３１ｃと嵌合部３１ｅとの間に固定されると、見込み方向延出部２３の先端である、上板部２３ａ及び下板部２３ｂの室外側の端部２３ｄ、２３ｅが、縦枠３１の係合片３１ｃの先端の突出片３１ｆと見付け方向に対向して当接または近接するように構成されている。このとき、縦枠３１の係合片３１ｃの先端の突出片３１ｆは、図３に断面で示すように、見込み方向延出部２３の切欠部２３ｃと重なる位置も切り欠かれており、鉤受部材２０が取り付けられた縦枠３１を外障子６側から見ると、見込み方向延出部２３の上板部２３ａ及び下板部２３ｂと、延出板部２２と、突出片３１ｆが切除された係合片３１ｃとで、矩形状の鉤受開口２０ａが形成されている。このとき、固定板部２１の上下の端部２１ａは、鉤受部材２０の係合片３１ｃに対する位置決め部をなしているので、見込み方向延出部２３の上板部２３ａ及び下板部２３ｂと、延出板部２２と、係合片３１ｃとで確実に鉤受開口２０ａを形成することができる。また、係合片３１ｃに当接されている固定板部２１の上下の端部２１ａは、鉤受部材２０に鉤部材１８が係合された状態にて、外障子６を見付け方向に移動しようとしたときに、鉤受部材２０の上板部２３ａの室外側の端部が係合片３１ｃの突出片３１ｆから離れる方向に倒れることを防止する倒れ規制部をもなしている。
【００４０】
鉤受部材２０が取り付けられた縦枠３１と対向する、戸先框７の室外戸先片８ｂと室内戸先片８ｃとの間には、案内部材２４が設けられている。この案内部材２４は、図７に示すように、外障子６を閉じた際に、鉤受部材２０と係合して、鉤受部材２０と室内戸先片８ｃとが衝突することを防止するとともに、戸先框７の先端に設けられたシール材３５が縦枠３１の係合片３１ｃに当接される位置及び鉤機構１１と鉤受開口２０ａとが対向する位置に外障子６を案内するように構成されている。鉤機構１１が設けられていない部位に用いられる案内部材２５と、鉤機構１１が設けられている部位に用いられる案内部材２４とは、両方の案内部材２４、２５により外障子６が案内される必要はなく、いずれか一方と係合して外障子６が案内されれば構わない。
【００４１】
案内部材２４、２５により外障子６が案内されて閉じられると、縦枠３１側にて外障子６側に突出している、係合片３１ｃと鉤受部材２０の延出板部２２及び見込み方向延出部２３が室外戸先片８ｂと室内戸先片８ｃとの間に入り込む。このとき、見込み方向延出部２３の上板部２３ａ及び下板部２３ｂと、延出板部２２と、係合片３１ｃとで形成された鉤受部材２０と、鉤機構１１の鉤部材１８が出没する部位とが対向するように配置される。このとき、空掛け防止機構５０の移動部材５２は、縦枠３１の縦枠見込部３１ｂの対向面３１ａに押圧されることにより、戸先錠１０の施錠操作が許容されるようになる。
【００４２】
そして、使用者が把持部１２を下方に移動させると、下方に移動する伝達部材１７により鉤部材１８の召合腕部１８ｂが下方に移動される。これにより鉤部材１８が時計方向に回動し、戸先腕部１８ａ及び鉤部１８ｃが戸先框７の中空本体部８ａ内から挟持部材１４に設けられた鉤開口１４ａを通って突出する。このとき、鉤部１８ｃの先端が、見込み方向延出部２３の上板部２３ａ及び下板部２３ｂと、延出板部２２と、係合片３１ｃとで形成された鉤受開口２０ａを通って上板部２３ａより縦枠見込部３１ｂの対向面３１ａ側にて上方に向くように移動する。これにより、外障子６の開放側への移動が規制され施錠された状態となる。また、このとき、鉤部１８ｃは、鉤受開口２０ａに挿入されて、見込み方向において、延出板部２２と係合片３１ｃとの間に位置しているので、鉤部１８ｃの見込み方向の移動も規制されて、確実に施錠される。本実施形態において、鉤受部材２０が有する、縦枠３１の、戸先框７と対向する対向面３１ａに設けられて鉤部１８ｃと係合して外障子６の見付け方向における移動を規制する係合部は上板部２３ａであり、鉤部材１８の見込み方向における移動を規制する規制部は、延出板部２２である。尚、見込み方向において、延出板部２３ａとは反対側にて鉤部材１８の見込み方向の移動を規制する規制部は、係合片３１ｃである。
【００４３】
また、使用者が把持部１２を上方に移動させると、上方に移動する伝達部材１７により鉤部材１８の召合腕部１８ｂが上方に移動される。これにより鉤部材１８が反時計方向に回動し、戸先腕部１８ａ及び鉤部１８ｃが戸先框７の中空本体部８ａ内に収容される。このとき、鉤部１８ｃが、見込み方向延出部２３の上板部２３ａ及び下板部２３ｂと、延出板部２２と、係合片３１ｃとで形成された鉤受開口２０ａから抜け出て、外障子６の開放側への移動が許容され解錠された状態となる。そして外障子６を開く方向に移動させると、縦枠３１から離れることにより、移動部材５２がコイルばね５３により押し出され、把持部１２の下方向への移動が規制される。
【００４４】
本実施形態の建具１によれば、外部からの操作により上方または下方に移動する鉤部１８ｃと係合する鉤受部材２０は、内障子４及び外障子６の見付け方向における移動を規制する上板部２３ａ及び鉤部１８ｃの見込み方向への移動を規制する延出板部２２と係合片３１ｃとを備えているので、鉤受部材２０に係合した鉤部１８ｃは、内障子４及び外障子６の見付け方向の移動を規制するばかりでなく、鉤部１８ｃの見込み方向の移動も規制する。このため、鉤受部材２０に係合した鉤部１８ｃは鉤受部材２０から外れ難いので、施錠状態が維持されやすく、施錠の信頼性に優れた建具１を提供することが可能である。
【００４５】
また、縦枠３１に設けられて内障子４及び外障子６を閉じたときに戸先框５、７内に進入する係合片３１ｃと、縦枠３１に設けられた鉤受部材２０とが、戸先框５、７に設けられた案内部材２４、２５と係合して内障子４及び外障子６を見込み方向における所定位置に案内するので、係合片３１ｃと鉤受部材２０が戸先框５、７と衝突することを防止することが可能であると共に、係合片３１ｃと鉤受部材２０に対して戸先框５、７を適切な位置に配置することが可能である。
【００４６】
また、鉤部材１８は、縦枠３１に取り付けられた鉤受部材２０が係合片３１ｃとともに形成する鉤受開口２０ａに挿入されて鉤受部材２０の上板部２３ａと係合するので、鉤部１８ｃは囲まれて、より外れ難くなる。このため、施錠状態が維持されやすく、施錠の信頼性により優れた建具を提供することが可能である。
【００４７】
また、係合片３１ｃは、鉤受部材２０に設けられた切欠部２３ｃの開放されている側の端部に配置されて鉤受開口２０ａを形成するので、鉤受部材２０の切欠部２３ｃの開放された部位を端部にて塞ぐとともに、戸先框５、７の狭い空間にて見込み方向の幅がより広い鉤受開口２０ａを形成することが可能である。
【００４８】
また、係合片３１ｃとともに、鉤部１８ｃが挿入される鉤受開口２０ａを形成する鉤受部材２０の位置決めをする固定板部２１の上下の端部２１ａは、係合片３１ｃに当接して係合片３１ｃに対する位置決めをするので、係合片３１ｃに対して鉤受部材２０をより正確に位置決めすることが可能である。このため、鉤受部材２０の切欠部２３ｃの開放された部位を端部にて確実に塞ぐことが可能であり、鉤受開口２０ａの見込み方向の幅をより広く形成することが可能である。
【００４９】
上記鉤受部材２０では、係合片３１ｃに当接されている固定板部２１の上下の端部２１ａを、係合片３１ｃに対する位置決め部及び鉤受部材２０の倒れを防止する倒れ規制部としたが、位置決め部及び倒れ規制部は、たとえば、図８（ａ）、図８（ｂ）に示すように、上板部２３ａ及び下板部２３ｂから対向面３１ａ側に向かって延出片２３ｆを延出させ、延出片２３ｆを突出片３１ｆに当接させて位置決め及び倒れ規制をしても良い。また、図８（ｃ）に示すように、延出板部２２から突出片３１ｆ側に向かって延出片２３ｆを突出させ、延出片２３ｆを突出片３１ｆに当接させて位置決め及び倒れ規制をしても良い。この場合には、上板部２３ａが内障子４及び外障子６側に倒れ難いので、鉤部１８ｃと鉤受部材２０とが確実に係合した状態が保たれ、施錠の信頼性がより高い建具１を提供することが可能である。
【００５３】
上記実施形態においては、把持部１２の操作により鉤部１８ｃが上方に移動する例について説明したが、下方に移動して下板部２３ｂに係合することにより施錠されても良い。また、上記実施形態においては、鉤部材１８が回動する例について説明したが、例えば、上下方向にスライドして鉤受部材と係合する戸先錠であっても構わない。
【００５４】
上記実施形態においては、引き違いタイプの建具１を例に挙げて説明したが、これに限らず、例えば、片引きタイプの建具や、障子が上下方向に移動する上げ下げ窓用の建具であっても構わない。
【００５５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５６】
１  建具、２  連通口、４  内障子、５  戸先框、６  外障子、
７  戸先框、１０  戸先錠、１１  鉤機構、１８  鉤部材、１８ｃ  鉤部、
２０  鉤受部材、２０ａ  鉤受開口、２１  固定板部、
２１ａ  固定板部の上下の端部、２２  延出板部、２３  見込み方向延出部、
２３ａ  上板部、２３ｃ  切欠部、２３ｄ  見込み方向延出部の端部、
２３ｆ  延出片、２４  案内部材、３１  縦枠、３１ａ  対向面、
１２０  鉤受部材、１２０ａ  鉤受開口、１２１  固定板部、１２２  延出板部、
１２３  見込み方向延出部、１２４  対向板部
【図１】
0005710446.tif 000002
【図２】
0005710446.tif 000003
【図３】
0005710446.tif 000004
【図４】
0005710446.tif 000005
【図５】
0005710446.tif 000006
【図６】
0005710446.tif 000007
【図７】
0005710446.tif 000008
【図８】
0005710446.tif 000009